(57)【特許請求の範囲】
【請求項１】
建設途上の鉄塔の組み付け済み既設鋼材に新設鋼材を組み上げ
ていくためのものであって、既設鋼材に取り付けられ、新設鋼材を吊り上げて接
続位置に配置する鉄塔建設用ブームにおいて、
連結ピンで長手方向に接続可能な複数の構成体から成り、途上の接続部で一方の結合片に長手方向へ複数のピン挿通孔を、他方の結合片にピン挿通孔を備え、夫々のピン挿通孔に連結ピンを一体に貫通することにより、択一的に真っ直ぐに又は屈曲させて接続可能なブーム本体と、
このブーム本体の下端を凸状部材と凹状部材とにより既設鋼材に挟持して取り付けるための取付け金具と、
前記ブーム本体の先端部に取り付けられ、新設鋼材を吊り上げてこれを背面側
に移動させるように旋回可能な旋回部とを具備することを特徴とする鉄塔建設用
ブーム。
【発明の詳細な説明】
【０００１】
【発明の属する技術分野】
本発明は、鉄塔を建設するときに、建設途上の鉄塔の鋼材に取り付けて新設鋼材を吊り上げ、接続位置に配置する鉄塔建設用ブームに関するものである。
【０００２】
【従来の技術】
従来、この種のブームは鉄塔の内側に向けて取り付けるため、ブームを取り付けた既設鋼材に新設鋼材を接続するには、接続位置がブームの背面側にあるので、先端から吊り上げた新設鋼材をブームの背面側に反転させる必要がある。
【０００３】
【発明が解決しようとする課題】
上記従来の作業では、新設鋼材を接続位置まで引き寄せる作業が容易でなく熟練を要するという問題がある。
そこで、本発明は、簡単にブームの吊り荷の位置を作業者の位置まで接近させることができる鉄塔建設用ブームを提供することを課題としている。
【０００４】
【課題を解決するための手段】
上記課題を解決するため、本発明においては、建設途上の鉄塔Ｔの組み付け済み既設鋼材Ｔ１に新設鋼材Ｔ２を組み上げていくためのものであって、既設鋼材Ｔ１に取り付けられ、新設鋼材Ｔ２を吊り上げて接続位置に配置する鉄塔建設用ブーム１において、連結ピン１０で長手方向に複数の構成体７，８，９を接続してブーム本体２を構成し、連結ピンで長手方向に接続可能な複数の構成体から成り、途上の接続部で一方の結合片に長手方向へ複数のピン挿通孔１１を、他方の結合片にピン挿通孔を備え、夫々のピン挿通孔に連結ピン１０を一体に貫通することにより、択一的に真っ直ぐに又は屈曲させて接続可能なブーム本体と、このブーム本体の下端を凸状部材１２と凹状部材１３とにより既設鋼材Ｔ１に挟持して取り付けるための取付け金具３を設け、またブーム本体２の先端部に新設鋼材Ｔ２を吊り上げて背面側に移動させるように旋回可能な旋回部４を設けた。
【０００５】
【発明の実施の形態】
本発明の実施の一形態を図面を参照して説明する。
図１において、建設途上の鉄塔Ｔの先端の既設鋼材Ｔ１には鉄塔建設用ブーム１が取り付けられて建設作業に必要な吊り荷Ｍが吊り上げられる。この鉄塔建設用ブーム１は、ブーム本体２と、この基端部を既設鋼材Ｔ１に取り付けるための取付け金具３と、ブーム本体２の先端に設けられる旋回部４とで構成される。ブーム本体２の先端及び既設鋼材Ｔ１の上部にはブーム本体２を起立、倒伏操作するための操作ワイヤＷ１を掛け回す滑車Ｐ１が引き留められている。また、ブーム本体２の先端部及び基端部には吊り荷Ｍを昇降操作する操作ワイヤＷ２を掛け回すための滑車Ｐ２が引き留められている。ブーム本体２は、長手方向に三つの構成体７，８，９を接続して構成される。各構成体７，８，９は、連結ピンであるボルト１０で接続されている。図２に示すように、ボルト１０は各構成体７，８，９の結合片７ａ，７ｂ、８ａ，８ｂに設けられたピン挿通孔１１を貫通してナットで固定される。前側の長い結合片７ｂには長手方向に異なる位置のピン挿通孔１１が二つ設けられている。結合片７ｂの先端側のピン挿通孔１１に連結ピン１０を貫通させれば、図２（Ｂ）に示すように、前後の結合片７ａ，７ｂのピン挿通孔１１の上下位置が異なるので接続部でブーム本体２が後側に屈折する。
【０００６】
取付け金具３は、図３乃至図５に示すように、既設鋼材Ｔ１を前後に狭持する凸状部材１２及び凹状部材１３と、これらを結合するアイボルト１４とから成る。凸状部材１２の後部は既設鋼材Ｔ１の内側面に沿って略山形を成し、前部は鉄塔Ｔの内側に張り出す。この凸状部材１２は、上下に間隔を置いて対向する略山形の一対の横板を水平断面略Π形の縦板が結合して成る枠体１２ａを有する。枠体１２ａの両側部には上下に引留めボルト１２ｂが貫通し、ナット１２ｃで固定されている。引留めボルト１２ｂはアイボルト１４の端部を貫通する。枠体１２ａの前部にはクレビスロッド１２ｄが貫通し、ナット１２ｅで固定されている。クレビスロッド１２ｄの上部には間隔を置いて対向するクレビス片１２ｆが形成されている。クレビスロッド１２ｄの中間部には直角クレビス１２ｇが連結され、さらにその先に滑車Ｐ２が連結される。凹状部材１３は、凸状部材１２の後部にほぼ対応して山形に屈曲し、凸状部材１２との間に既設鋼材Ｔ１を受け入れてアイボルト１４で締め止められる。
【０００７】
図６及び図７に示すように、旋回部４は、ブーム本体２の先端に固定される固定部１５を有する。固定部１５の中央部には旋回軸１５が垂直に固着されている。旋回軸１６には、固定部１５上で旋回軸１６周りに回動自在に嵌合部１７が軸支されている。この嵌合部１７は旋回軸１６にナット１８で抜け止めされている。嵌合部１７は円筒状を成し、上端部にフランジ１７ａを有する。固定部１５の三方の側部には滑車Ｐ１を引き留めるブラケット１５ａが突設されている。嵌合部１７の一側部には滑車Ｐ２を吊り留めるブラケット１７ｂが突設されている。
【０００８】
この鉄塔建設用ブームにおいては、鉄塔建設時に通常の荷上げ作業を行う場合には、図２（Ａ），図８（Ａ）に示すように、結合片７ｂの基端側のピン挿通孔１１にボルト１０を挿通させて構成体７，８を真っ直ぐに接続する。また、既設鋼材Ｔ１に新設鋼材Ｔ２を接続する場合には、図２（Ｂ），図８（Ｂ）に示すように、結合片７ｂの先端側のピン挿通孔１１を選択して連結ピン１０を挿通し接続する。この状態でブーム本体２は構成体７，８の接続部で背側に屈折する。従って、この接続部の上部が垂直に近くなり、ワイヤＷ２で吊った新設鋼材Ｔ１が鉄塔Ｔにほぼ沿うこととなる。この状態で図８（Ｃ）に示すように、旋回部４の嵌合部１７を反転旋回させれば、新設鋼材Ｔ１が背部に回り込み既設鋼材Ｔ１に接近するので接続作業を容易に行うことができる。なお、ブーム本体２の中間部はチェーンブロック５及びロープ６で補強して支持させる。
【０００９】
【発明の効果】
以上のように、本発明は、鉄塔建設作業において、新設鋼材Ｔ１を既設鋼材Ｔ１に接近させることができるので、特別な熟練を必要とすることなく接続作業を容易に行うことができ、高所作業を安全に遂行することができるという効果を有する。
【図面の簡単な説明】
【図１】本発明に係る鉄塔建設用ブーム装置の正面図である。
【図２】ブーム本体の接続状態の一部の正面図である。
【図３】取付け金具の正面図である。
【図４】取付け金具の平面図である。
【図５】取付け金具の側面図である。
【図６】旋回部の正面図である。
【図７】旋回部の平面図である。
【図８】鉄塔建設用ブーム装置の使用状態の正面図である。
【符号の説明】
１    鉄塔建設用ブーム
２    ブーム本体
３    取付け金具
４    旋回部
７    構成体
８    構成体
１０    連結ピン
１１    ピン挿通孔
Ｔ    鉄塔
Ｔ１  既設鋼材
Ｔ２  新既設鋼材
【図１】
0003877033.tif 000002
【図２】
0003877033.tif 000003
【図３】
0003877033.tif 000004
【図４】
0003877033.tif 000005
【図５】
0003877033.tif 000006
【図６】
0003877033.tif 000007
【図７】
0003877033.tif 000008
【図８】
0003877033.tif 000009